(57)【要約】【課題】ワイヤー引き方向の変更に対して最小限の加工でワイヤステーを確実に固定できる機械式スロットル装置を提供する。【解決手段】機械式スロットル装置１０において、スロットル本体１２に軸方向に長く伸びた座面１８を有するワイヤステー固定部１６を設け、そのワイヤステー固定部１６にワイヤステー４４、４４Ａを固定する。ワイヤステー固定部１６には、座面１８の長手方向に離間して配置された第１ネジ孔２２と第２ネジ孔２４と、それらの間の座面１８から突出した回転規制ピン２０とが設けられている。ワイヤステー固定部１６は、ワイヤー引き出し方向に応じて異なるネジ孔を使用してワイヤステー４４、４４Ａをネジ止めする。【選択図】図１
2020051262.tif 000002
【特許請求の範囲】
【請求項１】
エアクリーナ側ポートとエンジン側ポートとに連通する吸気路を有するスロットル本体と、
回転動作により前記吸気路の開閉制御を行う絞り弁を軸支する弁軸と、
前記弁軸に連結されるとともに、ワイヤーを介して運転者によって操作されるスロットルレバーと、
前記スロットル本体に設けられ、前記スロットル本体の軸方向に長く伸びた座面を有するワイヤステー固定部と、
前記ワイヤステー固定部に固定されたワイヤステーと、を備え、
前記ワイヤステー固定部は、前記座面の長手方向に離間して配置された第１ネジ孔と第２ネジ孔と、前記第１ネジ孔及び前記第２ネジ孔の間の座面から突出して設けられた回転規制ピンと、を有し、
前記ワイヤステーのワイヤー引き出し方向がエンジン側である場合には、前記ワイヤステー固定部において、前記回転規制ピンのエアクリーナ側に隣接する第２ネジ孔にて前記ワイヤステーのネジ止めを行うとともに、
前記ワイヤステーのワイヤー引き出し方向がエアクリーナ側である場合には、前記ワイヤステー固定部において、前記回転規制ピンのエンジン側に隣接する第１ネジ孔にて前記ワイヤステーのネジ止めを行う、
機械式スロットル装置。
【発明の詳細な説明】
【技術分野】
【０００１】
本発明は、ワイヤーによりスロットルレバーを操作して絞り弁の開度を調整する機械式スロットル装置に関する。
【背景技術】
【０００２】
従来より、自動二輪車等のエンジンには、スロットル本体の吸気路にバタフライ型の絞り弁を設け、その絞り弁を回転自在に支持する弁軸を、スロットルレバーで回転させる機械式スロットル装置が用いられている。スロットルレバーは、運転者によって操作されるアクセルグリップに連動するスロットルワイヤーによって回動する。
【０００３】
このような機械式スロットル装置では、取付け対象となる自動二輪車の部品搭載レイアウトに応じて、スロットルレバーからのワイヤー引き出し方向の変更が求められる場合がある。特許文献１は、ワイヤーの引き出し方向を変更可能とするべく、ワイヤステーを所定の固定ポイントに対して回転可能とすることを開示する。
【先行技術文献】
【特許文献】
【０００４】
【特許文献１】特開２００６−２５７９８１号公報
【発明の概要】
【発明が解決しようとする課題】
【０００５】
しかしながら、特許文献１では、スロットルボディの吸気通路のエンジン側（又はエアクリーナ側）の限定された角度範囲での調整可能なワイヤステーの取付方法を開示するにとどまり、ワイヤー引き出し方向がエンジン側からエアクリーナまで大きな角度範囲で変更された場合には対応できない。
【０００６】
ワイヤーの引き出し方向の大きな変更に対応させる場合には、スロットル本体側に、ワイヤステー固定部を設け、その座面にワイヤステー固定用のネジ止め孔と、ワイヤステーの回転止め用の回転規制ピンを設ける。そして、引き出し方向に応じた形状のワイヤステーを、ワイヤステー固定部の座面に装着し、回転規制ピン及びネジ止めにより固定する方法が取られている。
【０００７】
しかしながら、上記の方法では、ネジの締結位置を変えずに、様々なワイヤー引き方向に対応させているため、ワイヤーの引き方向と、ネジの締結位置との関係によっては、ワイヤステーの剛性が不足してしまう。ワイヤステーには、ワイヤー操作により、ワイヤーからの力が作用するが、座面のネジの締結位置がワイヤステーの変形の支点に近い場合には、ワイヤステーの一部が座面から剥がれる方向に変形しやすくなる。その結果、ワイヤーの引き具合が変化してしまい、スロットルレバーに不用意な回転変位が生じて、運転者の意図しないエンジン出力の変動が生じるおそれがある。
【０００８】
このような不具合を防ぐために、ワイヤステーの引き出し方向に応じてワイヤステーの固定位置を変更することが考えられる。しかし、ワイヤーの引き出し方向に応じて複数種類のワイヤステー固定部を用意する場合には、スロットル本体の形状や加工治具の変更が必要となり、生産コストが増大してしまう。
【０００９】
そこで、本発明は、ワイヤー引き方向の変更に対して最小限の加工でワイヤステーを確実に固定できる機械式スロットル装置を提供することを目的とする。
【課題を解決するための手段】
【００１０】
本発明の一観点は、エアクリーナ側ポートとエンジン側ポートとに連通する吸気路を有するスロットル本体と、回転動作により前記吸気路の開閉制御を行う絞り弁を軸支する弁軸と、前記弁軸に連結されるとともに、ワイヤーを介して運転者によって操作されるスロットルレバーと、前記スロットル本体に設けられ、前記スロットル本体の軸方向に長く伸びた座面を有するワイヤステー固定部と、前記ワイヤステー固定部に固定されたワイヤステーと、を備え、前記ワイヤステー固定部は、前記座面の長手方向に離間して配置された第１ネジ孔と第２ネジ孔と、前記第１ネジ孔及び前記第２ネジ孔の間の座面から突出して設けられた回転規制ピンと、を有し、前記ワイヤステーのワイヤー引き出し方向がエンジン側である場合には、前記ワイヤステー固定部において、前記回転規制ピンのエアクリーナ側に隣接する第２ネジ孔にて前記ワイヤステーのネジ止めを行うとともに、前記ワイヤステーのワイヤー引き出し方向がエアクリーナ側である場合には、前記ワイヤステー固定部において、前記回転規制ピンのエンジン側に隣接する第１ネジ孔にて前記ワイヤステーのネジ止めを行う、機械式スロットル装置にある。
【発明の効果】
【００１１】
本発明に係る機械式スロットル装置によれば、ワイヤステー固定部は、スロットル本体の軸方向に長く伸びた座面を有する。この座面を設けることにより、ワイヤステーを剥がす方向への変形を抑制しやすくなる。また、ワイヤステー固定部の座面には、前記座面の長手方向に離間して配置された第１ネジ孔と第２ネジ孔とが設けられているため、ネジ止め位置をワイヤーの引き方向に対して有利な位置へ変更可能となる。
【図面の簡単な説明】
【００１２】
【図１】図１Ａは、本発明の実施形態に係る機械式スロットル装置の斜視図であり、図１Ｂは、図１Ａのワイヤステー固定部の作用を示す模式図（その１）であり、図１Ｃは、図１Ａのワイヤステー固定部の作用を示す模式図（その２）である。
【発明を実施するための形態】
【００１３】
以下、本発明の好適な実施形態を挙げ、添付の図面を参照して詳細に説明する。なお、以下の説明において、スロットルボディの上流側を「エアクリーナ側」とも呼び、下流側を「エンジン側」とも呼ぶ。
【００１４】
図１Ａに示すように、本実施形態に係る機械式スロットル装置１０は、スロットル本体１２と、スロットルレバー１４と、ワイヤステー固定部１６とを備えている。
【００１５】
スロットル本体１２は、金属よりなる円筒状の側壁１２ａを有しており、その内部には、スロットル本体１２を貫通する吸気路２８が設けられている。吸気路２８は、スロットル本体１２の軸方向に延在し、スロットル本体１２のエアクリーナ側ポート３０からエンジン側ポート３２に向けて吸気を流通可能に構成されている。スロットル本体１２の上流側のエアクリーナ側ポート３０は、不図示のエアクリーナに接続され、下流側のエンジン側ポート３２は配管を介して又は直接、不図示のエンジンの吸気ポートに接続される。また、吸気路２８には、不図示の絞り弁（バタフライバルブ）が設けられている。
【００１６】
絞り弁は、スロットル本体１２の軸方向に直交する方向に延在する弁軸２６によって軸支され、その弁軸２６回りに、所定の角度範囲で回転することで、吸気路２８の開度を調整可能に構成されている。弁軸２６は、スロットル本体１２を貫通しており、図の手前側の端部において、スロットルレバー１４に連結されている。
【００１７】
スロットルレバー１４は、金属等によって円盤状に形成された部材であり、その中心部に連結された弁軸２６と一体的に回動する。スロットルレバー１４の外周部には、スロットルワイヤー３４、３６（図１Ｂ参照）を巻きつけるためのワイヤー溝３８が形成されている。また、スロットルレバー１４の周方向の一端には、スロットルワイヤー３４、３６を固定するための、ワイヤー固定部４０、４２が設けられている。
【００１８】
ワイヤステー固定部１６はスロットル本体１２からスロットルレバー１４側に伸び出て設けられている。ワイヤステー固定部１６は、弁軸２６の上方に配置されている。ワイヤステー固定部１６の上部には、スロットル本体１２の軸方向に平行な平面よりなる座面１８が形成されている。座面１８は、スロットル本体１２の軸方向に長く延びた矩形状に形成されている。
【００１９】
ワイヤステー固定部１６の座面１８には、回転規制ピン２０と、第１ネジ孔２２と、第２ネジ孔２４とが設けられている。回転規制ピン２０は、座面１８の軸方向中央付近に設けられている。回転規制ピン２０は、ワイヤステー４４、４４Ａの回転を阻止するために設けられており、座面１８から垂直上方に突出している。また、第１ネジ孔２２は、座面１８のエンジン側の端部付近に形成されており、第２ネジ孔２４は、座面１８のエアクリーナ側の端部付近に形成されている。
【００２０】
第１ネジ孔２２及び第２ネジ孔２４には、スロットルワイヤー３４、３６の引き出し方向に応じて、ネジ溝を形成するネジ加工が施される。例えば、スロットルワイヤー３４、３６をエンジン側に引き出す場合には、座面１８のエアクリーナ側の端部付近に形成された第２ネジ孔２４に対してネジ加工を施す。また、例えばスロットルワイヤー３４、３６をエアクリーナ側に引き出す場合には、座面１８のエンジン側の端部付近に形成された第１ネジ孔２２に対してネジ加工を施す。
【００２１】
図１Ｂ及び図１Ｃに示すように、ワイヤステー固定部１６には、ワイヤーの引き出し方向に応じて異なる形状のワイヤステー４４やワイヤステー４４Ａが取り付けられる。ワイヤステー４４は、図１Ｂに示すように、エアクリーナ側にスロットルワイヤー３４、３６を引き出す際に用いられる。図１Ｃに示すように、ワイヤステー４４Ａは、エンジン側にスロットルワイヤー３４、３６を引き出す際に用いられる。ワイヤステー４４及びワイヤステー４４Ａは、ワイヤステー固定部１６の座面１８において、回転規制ピン２０及びネジ４６により、ワイヤステー固定部１６に締結される。
【００２２】
本実施形態の機械式スロットル装置１０は、以上のように構成され、以下その作用について説明する。
【００２３】
図１Ｂに示すように、スロットルワイヤー３４、３６をエアクリーナ側に引き出すワイヤステー４４には、スロットルワイヤー３４、３６の操作によって、図中の白抜き矢印Ａに示す方向の力が作用する。その結果、ワイヤステー４４には、座面１８のエアクリーナ側の端部の支点４８を中心とする回転力が発生し、座面１８のエンジン側の端部付近を座面１８から引き剥がす向きの力（矢印Ｃ）が作用する。これに対し、本実施形態のワイヤステー固定部１６は、エンジン側の端部付近の第１ネジ孔２２においてワイヤステー４４を固定しているため、ワイヤステー４４の変形を抑制できる。
【００２４】
一方、図１Ｃに示すように、スロットルワイヤー３４、３６をエンジン側に引き出すワイヤステー４４Ａには、スロットルワイヤー３４、３６の操作によって、図中の白抜き矢印Ｂに示す方向の力が作用する。その結果、ワイヤステー４４Ａには、回転規制ピン２０付近を支点４８Ａとする回転力が発生し、座面１８のエアクリーナ側の端部付近を座面１８から引き剥がす向きの力（矢印Ｄ）が作用する。これに対し、本実施形態のワイヤステー固定部１６は、エアクリーナ側の端部付近の第２ネジ孔２４においてワイヤステー４４Ａを固定しているため、ワイヤステー４４Ａの変形を抑制できる。
【００２５】
本実施形態の機械式スロットル装置１０は、以下の効果を奏する。
【００２６】
機械式スロットル装置１０において、ワイヤステー固定部１６は、弁軸２６の上方に配置されている。これにより、ワイヤー引き出し方向がエンジン側からエアクリーナまで大きな角度範囲での変更に容易に対応でき、汎用性の高いワイヤステー固定部１６を実現できる。
【００２７】
機械式スロットル装置１０において、ワイヤステー４４、４４Ａのワイヤー引き出し方向に応じて第１ネジ孔２２及び第２ネジ孔２４のいずれか一方にネジ加工が行われる。これにより、ワイヤーの引き方向に応じた最小限の加工で対応できる。
【００２８】
機械式スロットル装置１０において、ワイヤー引き出し方向がエンジン側であるワイヤステー４４Ａの場合には、ワイヤステー固定部１６において、回転規制ピン２０のエアクリーナ側に隣接する第２ネジ孔２４にてワイヤステー４４Ａのネジ止めを行うようにしてもよい。これにより、ワイヤステー４４Ａの変形を抑制できる。
【００２９】
機械式スロットル装置１０において、ワイヤー引き出し方向がエアクリーナ側であるワイヤステー４４の場合には、ワイヤステー固定部１６において、回転規制ピン２０のエンジン側に隣接する第１ネジ孔２２にてワイヤステー４４のネジ止めを行うようにしてもよい。これにより、ワイヤステー４４の変形を抑制できる。
【００３０】
上記において、本発明について好適な実施形態を挙げて説明したが、本発明は前記実施形態に限定されるものではなく、本発明の趣旨を逸脱しない範囲において、種々の改変が可能なことは言うまでもない。
【符号の説明】
【００３１】
１０…機械式スロットル装置            １２…スロットル本体
１４…スロットルレバー                １６…ワイヤステー固定部
１８…座面                            ２０…回転規制ピン
２２…第１ネジ孔                      ２４…第２ネジ孔
３４、３６…スロットルワイヤー        ４４、４４Ａ…ワイヤステー
【図１】
2020051262.tif 000003